(57)【要約】      （修正有）【課題】紙幣を収納し易く、紙幣を一緒に入れても嵩張らず、かつ紙幣が脱落し難い通帳ケースを提供する。【解決手段】通帳ケース１は、通帳１０及び紙幣６を共に収納する平面視長方形状の収納部５を有する通帳ケースであり、前記収納部の長手方向長さが、紙幣長さを超えていることを特徴とするものである。紙幣を折らずに収納部に収納できるため、従来よりも紙幣を収納し易く、通帳ケースが嵩張らず、かつ収納部の開口が広がってしまわず紙幣が通帳ケースから脱落し難い。特に、紙幣を挟み込んだ通帳を、そのまま通帳ケースに収納でき、利便性が高い。【選択図】図１
0003147912.tif 000002
【実用新案登録請求の範囲】
【請求項１】
通帳及び紙幣を共に収納する収納部を有する通帳ケースにおいて、
前記収納部は、折られていない状態の前記紙幣を収納可能に構成されていることを特徴とする通帳ケース。
【請求項２】
前記収納部は、前記通帳及び前記折られていない状態の紙幣を共に収納可能な第１の収納部と、前記通帳及び前記折られていない状態の紙幣を共に収納可能な第２の収納部とよりなる請求項１に記載の通帳ケース。
【請求項３】
前記第１の収納部と前記第２の収納部は、並列して設けられている請求項２に記載の通帳ケース。
【請求項４】
前記第１の収納部と前記第２の収納部は、当該通帳ケースを使用する際において互いに見開き状態となるように設けられている請求項２に記載の通帳ケース。
【請求項５】
前記収納部は、前記通帳を収納可能な通帳収納部と、前記折られていない状態の紙幣を収納可能な紙幣収納部とよりなる請求項１に記載の通帳ケース。
【請求項６】
前記通帳収納部と前記紙幣収納部は、並列して設けられている請求項５に記載の通帳ケース。
【請求項７】
前記通帳収納部と前記紙幣収納部は、当該通帳ケースを使用する際において互いに見開き状態となるように設けられている請求項５に記載の通帳ケース。
【考案の詳細な説明】
【技術分野】
【０００１】
本考案は、銀行等での預金を記載する通帳を収納するための通帳ケースに関する。
【背景技術】
【０００２】
従来、銀行等での預金を記載する通帳を収納するための通帳ケースが流通している。この通帳ケースは、樹脂製のシート素材で形成されたものであり、通帳を保管する際や、通帳を銀行等へ持って行く際に使用されている。一方で、複数の口座から振り込みを行うため、銀行等へ複数の通帳を持って行く場合がある。その際、銀行等での煩雑な手間を避けるために、予め通帳毎に振り込み金額に応じた紙幣を当該通帳と一緒に、通帳ケースに入れておく場合がある。
【０００３】
紙幣を通帳と一緒に収納できるようにした通帳ケースとして、複数の収納部を設け、それぞれの収納部に当該紙幣と当該通帳とを分けて収納するようにしたものが提案されている（例えば、特許文献１参照）。
【０００４】
【特許文献１】実用新案登録第３１０４６９９号公報
【考案の開示】
【考案が解決しようとする課題】
【０００５】
しかし、上記従来の通帳ケースでは、紙幣を折った状態で収納部に入れる必要があるため、紙幣を収納し難いうえ、通帳ケースが嵩張ってしまうことや、更に、収納部の開口が広がってしまうことで紙幣が通帳ケースから容易に脱落してしまうという問題があった。特に、通帳に紙幣を挟み込んで、これらを通帳ケースに収納する場合には、上記問題が顕著に現れる。
【０００６】
そこで本考案は、上記従来技術の問題点に鑑み、紙幣を収納し易く、紙幣を一緒に入れても嵩張らず、かつ紙幣が脱落し難い通帳ケースを提供することを目的とする。
【課題を解決するための手段】
【０００７】
上記目的を達成するため、次の技術的手段を講じた。
即ち、本考案の通帳ケースは、通帳及び紙幣を共に収納する収納部を有する通帳ケースであり、前記収納部は、折られていない状態の前記紙幣を収納可能に構成されていることを特徴とするものである。
上記本考案の通帳ケースによれば、紙幣を折らずに収納部に収納できるため、従来よりも紙幣を収納し易く、通帳ケースが嵩張らず、かつ収納部の開口が広がってしまわず紙幣が通帳ケースから脱落し難い。特に、紙幣を挟み込んだ通帳を、そのまま通帳ケースに収納でき、利便性が高い。
【０００８】
前記収納部として多様な形態を採用することができる。例えば、当該収納部が、前記通帳及び前記折られていない状態の紙幣を共に収納可能な第１の収納部と、前記通帳及び前記折られていない状態の紙幣を共に収納可能な第２の収納部とよりなるものが挙げられる。この場合、第１、第２の収納部毎に、通帳と折られていない状態の紙幣を共に収納することができる。
【０００９】
また、前記第１の収納部と前記第２の収納部として、例えば、これらが並列して設けられているものや、これらが当該通帳ケースを使用する際において互いに見開き状態となるように設けられているものが挙げられる。
【００１０】
更に、前記収納部の他の形態として、前記収納部が、前記通帳を収納可能な通帳収納部と、前記折られていない状態の紙幣を収納可能な紙幣収納部とよりなるものが挙げられる。この場合、通収納部と紙幣収納部に、それぞれ通帳と折られていない状態の紙幣を分けて収納することができる。
【００１１】
前記通帳収納部と前記紙幣収納部として、例えば、これらが並列して設けられているものや、これらが当該通帳ケースを使用する際において互いに見開き状態となるように設けられているものが挙げられる。
【考案の効果】
【００１２】
上記の通り、本考案によれば、通帳と共に、紙幣を折らずに収納部に収納できるため、従来よりも紙幣を収納し易く、通帳ケースが嵩張らず、かつ収納部の開口が広がってしまわず紙幣が通帳ケースから脱落し難い。特に、折られていない状態の紙幣を挟み込んだ通帳を、そのまま通帳ケースに収納でき、利便性が高い。
【考案を実施するための最良の形態】
【００１３】
以下、本考案の実施の形態について図面を参照しながら説明する。図１（ａ）は、本考案の第１実施形態に係る通帳ケース１の平面図であり、同図（ｂ）は、図１（ａ）をＡ方向から見た図である。以下に説明する実施形態において、紙面縦方向を縦方向、紙面横方向を横方向といい，紙面上側を上、紙面下側を下という。この通帳ケース１は、銀行等の想像線で示す通帳１０を収納するためのものであり、横方向に長い長方形状の樹脂製の表側シート２と、この表側シート２と同じ素材からなる横方向に長い長方形状の裏側シート３で構成されている。
【００１４】
裏側シート３の横方向寸法ｔ１は、１７０〜１７５ｍｍであり、縦方向寸法ｔ２は、約１００ｍｍである。図１（ａ）に示すように、裏側シート３の四隅３ｒ、及び表側シート２の下側の二隅２ｒはアール形状となっており、通帳ケース１を使用する際に角で引っ掻くことがないようになっている。表側シート２は、裏側シート３と同じ横方向寸法ｔ１と、裏側シート２より若干小さい縦方向寸法ｔ３で形成されている。表側シート２の上縁２ａの中央部には、窪み部４が形成されている。
【００１５】
表側シート２の下縁部２ｂと裏側シート３の下縁部３ｂ、表側シート２の左右縁部２ｃと裏側シート３の左右縁部３ｃがそれぞれ、融着されており、図１（ｂ）に示すように、収納部５が形成されている。この収納部５は、通常の通帳ケースよりも横方向に長くなっており、折られていない状態の想像線で示す紙幣６を収納可能となっている。例えば、図１（ａ）、（ｂ）に例示するように、上記収納部５は、通帳１０に折られていない状態の紙幣６を挟んだまま収納することができるようになっている。
【００１６】
上記本実施形態の通帳ケース１によれば、通帳１０と共に、紙幣６を折らずに収納部５に収納できるため、従来よりも紙幣６を収納し易く、通帳ケース１が嵩張らず、かつ収納部５の開口５ａが広がってしまわず紙幣６が通帳ケース１から脱落し難い。特に、折られていない状態の紙幣６を挟み込んだ通帳１０を、そのまま通帳ケース１に収納でき、利便性が高い。また、窪み部４が形成されているので、収納部５に収納されている通帳１０や紙幣６を取り出し易い。
【００１７】
図２は、本考案の第２実施形態に係る通帳ケース１１の平面図である。なお、以下の実施形態において、第１実施形態の通帳１に対応する共通部分については、その説明を省略する。この通帳ケース１１は、見開き状に構成されたものであり、縦方向に長い外側シート１２と、この外側シート１２の縦方向中央部を境にして上下に位置する内側シート１３、１３で構成されている。外側シート１２の左右縁部１２ａ（中央部を除く）、上下縁部１２ｂと、内側シート１３、１３の左右縁部１３ａ、１３ａ、外縁１３ｂ、１３ｂとが互いに融着されている。これにより、同図に示すように、第１の収納部１４と第２の収納部１５が構成されており、通帳ケース１１を使用する際において、これらが互いに見開き状態となる。
【００１８】
第１、第２の収納部１４、１５は、第１実施形態の収納部５と略同寸法であり、これら収納部１４、１５の横方向寸法は、１７０〜１７５ｍｍとなっている。これにより、通帳１０及び折られていない状態の紙幣６が共に収納可能とされている。本実施形態の通帳ケース１１によれば、第１、第２の収納部１４、１５毎に、通帳１０と折られていない状態の紙幣６を収納することができる。なお、図示しないが、通帳１０及び折られていない状態の紙幣６を共に収納可能な第１の収納部と、通帳１０及び折られていない紙幣６を共に収納可能な第２の収納部として、これらが並列するように設けてもよい。
【００１９】
図３（ａ）は、本考案の第３実施形態に係る通帳ケース２０の平面図であり、同図（ｂ）は、図３（ａ）をＡ方向から見た図である。この通帳ケース２０は、表側シート２１、これより縦方向寸法が若干大きい裏側シート２２、及び表側シート２１と裏側シート２２との間に介在する中間シート２３で構成されている。中間シート２３の縦方向寸法は、裏側シート２２よりも小さく、かつ表側シート２１よりも大きくなっている。
【００２０】
裏側シート２２、表側シート２１、及び中間シート２３の互いに対応する各縁部が融着されている。これにより、表側シート２１と中間シート２３により、通帳１０を収納可能な通帳収納部２４が構成されており、中間シート２３と裏側シート２２により折られていない状態の紙幣６を収納可能な紙幣収納部２５が構成されている。また、図３（ａ）に示すように、通帳収納部２４の開口２４ａと紙幣収納部２５の開口２５ａとは、互いに段違い状になっており、それぞれ通帳１０、折られていない状態の紙幣６を取り出し易くなっている。本実施形態の通帳ケース２０によれば、通収納部２４と紙幣収納部２５が並列するように設けられており、当該通収納部２４と当該紙幣収納部２５に、それぞれ通帳１０と折られていない状態の紙幣６を分けて収納することができる。
【００２１】
図４は、本考案の第４実施形態に係る通帳ケース３０の平面図である。この通帳ケース３０は、見開き状に構成されたものであり、縦方向に長い外側シート３１と、この外側シート３１の縦方向中央部を境にして上側に位置する第１内側シート３２、下側に位置する第２内側シート３３で構成されている。外側シート３１、及び第１内側シート３２、第２内側シート３３の互いに対応する各縁部が融着されている。更に、第２内側シート３３の図４左寄り部分３３ｈが、外側シート３１と融着されている。
【００２２】
外側シート３１と第１内側シート３２により、折られていない状態の紙幣６を収納可能な紙幣収納部３４が構成されており、外側シート３１と第２内側シート３３により、通帳１０を収納可能な通帳収納部３５及び想像線で示す印鑑３７を収納可能な印鑑収納部３６が構成されている。通帳３０を使用する際において、紙幣収納部３４と、通帳収納部３５及び印鑑収納部３６とが互いに見開き状態となる。本実施形態の通帳ケース３０によれば、通収納部３５と、紙幣収納部３５及び印鑑収納部３６とが互いに見開き状に設けられており、当該通収納部２４、紙幣収納部２５及び印鑑収納部３６に、それぞれ通帳１０、折られていない状態の紙幣６及び印鑑３７を分けて収納することができる。
【００２３】
なお、上記実施形態は例示であり、制限的なものではない。例えば、通帳と折られていない状態の紙幣を共に収納可能な収納部を３つ、或いはそれ以上設けてもよく、通帳収納部や紙幣収納部をそれぞれ２つずつ、或いはそれ以上設けてもよい。また、銀行等のカードを入れるためのカードポケットを設けてもよい。例えば、第２実施形態において、上下に位置する内側シート１３、１３の表側（図２手前側）の面に１つ、或いは２つ以上のカードポケットを設けてもよい。これにより、カードを、通帳や折られていない状態の紙幣と一緒に入れることができ、利便性を更に向上させることができる。
【産業上の利用可能性】
【００２４】
本考案は、銀行等の通帳を収納する通帳ケースに適用される。
【図面の簡単な説明】
【００２５】
【図１】（ａ）は、本考案の第１実施形態に係る通帳ケースの平面図であり、（ｂ）は、（ａ）をＡ方向から見た図である。
【図２】本考案の第２実施形態に係る通帳ケースの平面図である。
【図３】（ａ）は、本考案の第３実施形態に係る通帳ケースの平面図であり、（ｂ）は、（ａ）をＡ方向から見た図である。
【図４】本考案の第４実施形態に係る通帳ケースの平面図である。
【符号の説明】
【００２６】
１、１１、２０、３０    通帳ケース
２    表側シート
３    裏側シート
５    収納部
６    折られていない紙幣
１０  通帳
１２  外側シート
１３  内側シート
１４  第１の収納部
１５  第２の収納部
２４、３５  通帳収納部
２５、３４  紙幣収納部
３６  印鑑収納部
３７  印鑑
【図１】
0003147912.tif 000003
【図２】
0003147912.tif 000004
【図３】
0003147912.tif 000005
【図４】
0003147912.tif 000006
【手続補正書】
【提出日】平成20年11月13日(2008.11.13)
【手続補正１】
【補正対象書類名】実用新案登録請求の範囲
【補正対象項目名】全文
【補正方法】変更
【補正の内容】
【実用新案登録請求の範囲】
【請求項１】
通帳及び紙幣を共に収納する平面視長方形状の収納部を有する通帳ケースにおいて、
前記収納部の長手方向長さが、紙幣長さを超えていることを特徴とする通帳ケース。
【請求項２】
前記収納部は、紙幣長さを超えている長手方向長さを有する第１の収納部と、紙幣長さを超えている長手方向長さを有する第２の収納部とよりなる請求項１に記載の通帳ケース。
【請求項３】
前記第１の収納部と前記第２の収納部は、並列して設けられている請求項２に記載の通帳ケース。
【請求項４】
前記第１の収納部と前記第２の収納部は、当該通帳ケースを使用する際において互いに見開き状態となるように設けられている請求項２に記載の通帳ケース。
【手続補正２】
【補正対象書類名】明細書
【補正対象項目名】全文
【補正方法】変更
【補正の内容】
【考案の詳細な説明】
【技術分野】
【０００１】
本考案は、銀行等での預金を記載する通帳を収納するための通帳ケースに関する。
【背景技術】
【０００２】
従来、銀行等での預金を記載する通帳を収納するための通帳ケースが流通している。この通帳ケースは、樹脂製のシート素材で形成されたものであり、通帳を保管する際や、通帳を銀行等へ持って行く際に使用されている。一方で、複数の口座から振り込みを行うため、銀行等へ複数の通帳を持って行く場合がある。その際、銀行等での煩雑な手間を避けるために、予め通帳毎に振り込み金額に応じた紙幣を当該通帳と一緒に、通帳ケースに入れておく場合がある。
【０００３】
紙幣を通帳と一緒に収納できるようにした通帳ケースとして、複数の収納部を設け、それぞれの収納部に当該紙幣と当該通帳とを分けて収納するようにしたものが提案されている（例えば、特許文献１参照）。
【０００４】
【特許文献１】実用新案登録第３１０４６９９号公報
【考案の開示】
【考案が解決しようとする課題】
【０００５】
しかし、上記従来の通帳ケースでは、紙幣を折った状態で収納部に入れる必要があるため、紙幣を収納し難いうえ、通帳ケースが嵩張ってしまうことや、更に、収納部の開口が広がってしまうことで紙幣が通帳ケースから容易に脱落してしまうという問題があった。特に、通帳に紙幣を挟み込んで、これらを通帳ケースに収納する場合には、上記問題が顕著に現れる。
【０００６】
そこで本考案は、上記従来技術の問題点に鑑み、紙幣を収納し易く、紙幣を一緒に入れても嵩張らず、かつ紙幣が脱落し難い通帳ケースを提供することを目的とする。
【課題を解決するための手段】
【０００７】
上記目的を達成するため、次の技術的手段を講じた。
即ち、本考案の通帳ケースは、通帳及び紙幣を共に収納する平面視長方形状の収納部を有する通帳ケースであり、前記収納部の長手方向長さが、紙幣長さを超えていることを特徴とするものである。
上記本考案の通帳ケースによれば、紙幣を折らずに収納部に収納できるため、従来よりも紙幣を収納し易く、通帳ケースが嵩張らず、かつ収納部の開口が広がってしまわず紙幣が通帳ケースから脱落し難い。特に、紙幣を挟み込んだ通帳を、そのまま通帳ケースに収納でき、利便性が高い。
【０００８】
前記収納部として多様な形態を採用することができる。例えば、当該収納部が、紙幣長さを超えている長手方向長さを有する第１の収納部と、紙幣長さを超えている長手方向長さを有する第２の収納部とよりなるものが挙げられる。この場合、第１、第２の収納部毎に、通帳と折られていない状態の紙幣を共に収納することができる。
【０００９】
また、前記第１の収納部と前記第２の収納部として、例えば、これらが並列して設けられているものや、これらが当該通帳ケースを使用する際において互いに見開き状態となるように設けられているものが挙げられる。
【考案の効果】
【００１０】
上記の通り、本考案によれば、通帳と共に、紙幣を折らずに収納部に収納できるため、従来よりも紙幣を収納し易く、通帳ケースが嵩張らず、かつ収納部の開口が広がってしまわず紙幣が通帳ケースから脱落し難い。特に、折られていない状態の紙幣を挟み込んだ通帳を、そのまま通帳ケースに収納でき、利便性が高い。
【考案を実施するための最良の形態】
【００１１】
以下、本考案の実施の形態について図面を参照しながら説明する。図１（ａ）は、本考案の第１実施形態に係る通帳ケース１の平面図であり、同図（ｂ）は、図１（ａ）をＡ方向から見た図である。以下に説明する実施形態において、紙面縦方向を縦方向、紙面横方向を横方向といい，紙面上側を上、紙面下側を下という。この通帳ケース１は、銀行等の想像線で示す通帳１０を収納するためのものであり、横方向に長い長方形状の樹脂製の表側シート２と、この表側シート２と同じ素材からなる横方向に長い長方形状の裏側シート３で構成されている。
【００１２】
裏側シート３の横方向寸法ｔ１は、１７０〜１７５ｍｍであり、縦方向寸法ｔ２は、約１００ｍｍである。図１（ａ）に示すように、裏側シート３の四隅３ｒ、及び表側シート２の下側の二隅２ｒはアール形状となっており、通帳ケース１を使用する際に角で引っ掻くことがないようになっている。表側シート２は、裏側シート３と同じ横方向寸法ｔ１と、裏側シート２より若干小さい縦方向寸法ｔ３で形成されている。表側シート２の上縁２ａの中央部には、窪み部４が形成されている。
【００１３】
表側シート２の下縁部２ｂと裏側シート３の下縁部３ｂ、表側シート２の左右縁部２ｃと裏側シート３の左右縁部３ｃがそれぞれ、融着されており、図１（ｂ）に示すように、収納部５が形成されている。この収納部５は、通常の通帳ケースよりも横方向に長くなっており、当該収納部５の長手方向長さが、紙幣長さを超えている。従って、収納部５に、折られていない状態の想像線で示す紙幣６を収納可能となっている。例えば、図１（ａ）、（ｂ）に例示するように、上記収納部５は、通帳１０に折られていない状態の紙幣６を挟んだまま収納することができるようになっている。
【００１４】
上記本実施形態の通帳ケース１によれば、通帳１０と共に、紙幣６を折らずに収納部５に収納できるため、従来よりも紙幣６を収納し易く、通帳ケース１が嵩張らず、かつ収納部５の開口５ａが広がってしまわず紙幣６が通帳ケース１から脱落し難い。特に、折られていない状態の紙幣６を挟み込んだ通帳１０を、そのまま通帳ケース１に収納でき、利便性が高い。また、窪み部４が形成されているので、収納部５に収納されている通帳１０や紙幣６を取り出し易い。
【００１５】
図２は、本考案の第２実施形態に係る通帳ケース１１の平面図である。なお、以下の実施形態において、第１実施形態の通帳１に対応する共通部分については、その説明を省略する。この通帳ケース１１は、見開き状に構成されたものであり、縦方向に長い外側シート１２と、この外側シート１２の縦方向中央部を境にして上下に位置する内側シート１３、１３で構成されている。外側シート１２の左右縁部１２ａ（中央部を除く）、上下縁部１２ｂと、内側シート１３、１３の左右縁部１３ａ、１３ａ、外縁１３ｂ、１３ｂとが互いに融着されている。これにより、同図に示すように、第１の収納部１４と第２の収納部１５が構成されており、通帳ケース１１を使用する際において、これらが互いに見開き状態となる。
【００１６】
第１、第２の収納部１４、１５は、第１実施形態の収納部５と略同寸法であり、これら収納部１４、１５の横方向寸法は、１７０〜１７５ｍｍとなっている。これにより、通帳１０及び折られていない状態の紙幣６が共に収納可能とされている。本実施形態の通帳ケース１１によれば、第１、第２の収納部１４、１５毎に、通帳１０と折られていない状態の紙幣６を収納することができる。なお、図示しないが、通帳１０及び折られていない状態の紙幣６を共に収納可能な第１の収納部と、通帳１０及び折られていない紙幣６を共に収納可能な第２の収納部として、これらが並列するように設けてもよい。
【００１７】
図３（ａ）は、本考案の第３実施形態に係る通帳ケース２０の平面図であり、同図（ｂ）は、図３（ａ）をＡ方向から見た図である。この通帳ケース２０は、表側シート２１、これより縦方向寸法が若干大きい裏側シート２２、及び表側シート２１と裏側シート２２との間に介在する中間シート２３で構成されている。中間シート２３の縦方向寸法は、裏側シート２２よりも小さく、かつ表側シート２１よりも大きくなっている。
【００１８】
裏側シート２２、表側シート２１、及び中間シート２３の互いに対応する各縁部が融着されている。これにより、表側シート２１と中間シート２３により、通帳１０を収納可能な通帳収納部２４が構成されており、中間シート２３と裏側シート２２により折られていない状態の紙幣６を収納可能な紙幣収納部２５が構成されている。また、図３（ａ）に示すように、通帳収納部２４の開口２４ａと紙幣収納部２５の開口２５ａとは、互いに段違い状になっており、それぞれ通帳１０、折られていない状態の紙幣６を取り出し易くなっている。本実施形態の通帳ケース２０によれば、通収納部２４と紙幣収納部２５が並列するように設けられており、当該通収納部２４と当該紙幣収納部２５に、それぞれ通帳１０と折られていない状態の紙幣６を分けて収納することができる。
【００１９】
図４は、本考案の第４実施形態に係る通帳ケース３０の平面図である。この通帳ケース３０は、見開き状に構成されたものであり、縦方向に長い外側シート３１と、この外側シート３１の縦方向中央部を境にして上側に位置する第１内側シート３２、下側に位置する第２内側シート３３で構成されている。外側シート３１、及び第１内側シート３２、第２内側シート３３の互いに対応する各縁部が融着されている。更に、第２内側シート３３の図４左寄り部分３３ｈが、外側シート３１と融着されている。
【００２０】
外側シート３１と第１内側シート３２により、折られていない状態の紙幣６を収納可能な紙幣収納部３４が構成されており、外側シート３１と第２内側シート３３により、通帳１０を収納可能な通帳収納部３５及び想像線で示す印鑑３７を収納可能な印鑑収納部３６が構成されている。通帳３０を使用する際において、紙幣収納部３４と、通帳収納部３５及び印鑑収納部３６とが互いに見開き状態となる。本実施形態の通帳ケース３０によれば、通収納部３５と、紙幣収納部３５及び印鑑収納部３６とが互いに見開き状に設けられており、当該通収納部２４、紙幣収納部２５及び印鑑収納部３６に、それぞれ通帳１０、折られていない状態の紙幣６及び印鑑３７を分けて収納することができる。
【００２１】
なお、上記実施形態は例示であり、制限的なものではない。例えば、通帳と折られていない状態の紙幣を共に収納可能な収納部を３つ、或いはそれ以上設けてもよく、通帳収納部や紙幣収納部をそれぞれ２つずつ、或いはそれ以上設けてもよい。また、銀行等のカードを入れるためのカードポケットを設けてもよい。例えば、第２実施形態において、上下に位置する内側シート１３、１３の表側（図２手前側）の面に１つ、或いは２つ以上のカードポケットを設けてもよい。これにより、カードを、通帳や折られていない状態の紙幣と一緒に入れることができ、利便性を更に向上させることができる。
【産業上の利用可能性】
【００２２】
本考案は、銀行等の通帳を収納する通帳ケースに適用される。
【図面の簡単な説明】
【００２３】
【図１】（ａ）は、本考案の第１実施形態に係る通帳ケースの平面図であり、（ｂ）は、（ａ）をＡ方向から見た図である。
【図２】本考案の第２実施形態に係る通帳ケースの平面図である。
【図３】（ａ）は、本考案の第３実施形態に係る通帳ケースの平面図であり、（ｂ）は、（ａ）をＡ方向から見た図である。
【図４】本考案の第４実施形態に係る通帳ケースの平面図である。
【符号の説明】
【００２４】
１、１１、２０、３０    通帳ケース
２    表側シート
３    裏側シート
５    収納部
６    折られていない紙幣
１０  通帳
１２  外側シート
１３  内側シート
１４  第１の収納部
１５  第２の収納部
２４、３５  通帳収納部
２５、３４  紙幣収納部
３６  印鑑収納部
３７  印鑑